(57)【要約】【課題】  ＨＤＭＩ規格により伝送された信号を受信し、画像表示モードを自動設定した場合、必ずしもユーザの希望に一致した表示モードになるとは限らず、ＨＤＭＩ規格に準拠した映像・音声信号を再生する上で、さらなる改善の余地があった。【解決手段】  ＨＤＭＩコネクタを介して受信されたデジタル信号に基く映像信号を選択した場合、受信されたデジタル信号に含まれている表示関連情報を抽出し、この表示関連情報に応答してディスプレイの表示モードを自動設定する。又、この自動設定による表示モードにおいてユーザによる表示モードの設定指示があった場合は、別の映像信号が選択されない限りは、表示関連情報による応答を停止し、ユーザによる設定指示にしたがって表示モードを設定する。【選択図】  図１
2006108750.tif 000002
【特許請求の範囲】
【請求項１】
ＨＤＭＩ規格に準拠したデジタル伝送バスが接続されるＨＤＭＩコネクタと、
前記ＨＤＭＩコネクタを介して受信されたデジタル信号から映像信号をデコード処理して、第１の映像信号を復元するとともに、前記受信されたデジタル信号に表示関連情報が含まれている場合にそれを抽出して出力するＨＤＭＩ信号処理部と、
放送信号を受信処理した映像信号を含む第２の映像信と、前記第１の信号が入力され、いずれか１つの映像信号を選択出力するセレクタと、
前記セレクタによって選択出力された映像信号による画像を表示するためのディスプレイと、
前記セレクタが前記第１の映像信号を選択し、前記表示関連情報が抽出されたときに、前記表示関連情報に応答して前記ディスプレイへの表示モードを自動設定するとともに、前記自動設定による表示モードにおいてユーザによる表示モードの設定指示があった場合、前記セレクタによる選択状態に変更がない限り、前記表示関連情報による応答を停止し、ユーザによる設定指示にしたがって前記ディスプレイへの表示モードを設定する制御部と、を具備したことを特徴とする画像表示装置。
【請求項２】
前記受信されたデジタル信号に含まれる表示関連情報は、アスペクト情報であり、前記制御部は、前記ＨＤＭＩ信号処理部によって抽出したアスペクト情報に応答して前記ディスプレイに表示される画像のアスペクトを設定することを特徴とする請求項１記載の画像表示装置。
【請求項３】
ＨＤＭＩ規格に準拠したデジタル伝送バスを介して受信されたデジタル信号から映像信号をデコード処理して、第１の映像信号を復元するとともに、前記受信されたデジタル信号に表示関連情報が含まれている場合にそれを抽出する工程と、
放送信号を受信処理した映像信号を含む第２の映像信号と、前記第１の信号が入力され、いずれか１つの映像信号を選択出力する工程と、
前記第１の映像信号が選択出力されたときには、前記抽出された表示関連情報に応答してディスプレイでの画像表示モードを自動設定する工程と、
前記自動設定による画像表示モードにおいてユーザによる表示モードの設定指示があった場合は、前記映像信号の選択状態に変更がない限り、前記表示関連情報による応答を停止し、ユーザによる設定指示にしたがって前記ディスプレイへの表示モードを設定する工程と、を含む画像表示方法。
【請求項４】
前記受信されたデジタル信号に含まれる表示関連情報は、アスペクト情報であり、前記画像表示モードを自動設定する際に、抽出したアスペクト情報に応答して前記ディスプレイに表示される画像のアスペクトを設定することを特徴とする請求項３記載の画像表示方法。
【発明の詳細な説明】
【技術分野】
【０００１】
本発明は、放送信号を受信して得た映像信号、及びデジタルインターフェースによる信号入力端子からの映像信号による画像を選択的に表示可能にした画像表示装置及び画像表示方法に係り、特に画像の表示モードの設定に関するものである。
【背景技術】
【０００２】
周知のように、デジタル映像信号を伝送するための規格として、ＤＶＩ（Digital Visual Interface）規格が普及している。そして、近年では、このＤＶＩ規格をさらに改良したデジタル信号伝送規格として、ＨＤＭＩ（High Definition Multimedia Interface）規格が採用されるようになってきている。
【０００３】
このＨＤＭＩ規格には、例えば、デジタル映像信号のブランキング期間にデジタル音声信号を多重化して音声伝送を行なうことが可能であること、デジタル映像信号をＲ，Ｇ，Ｂ形式の他に色差（Ｙ，Ｃｂ，Ｃｒ）形式で伝送することが可能であること、ＵＳＢ（Universal Serial Bus）ライクの小型のＨＤＭＩコネクタで接続することが可能であること等々、ＤＶＩ規格にない種々の規定が盛り込まれている。
【０００４】
したがって、最近では、テレビジョン信号受信機にＨＤＭＩ用の入力端子を設け、この入力端子に外部機器からＨＤＭＩ規格に準拠したデジタル信号を供給可能にしたものもある。尚、このような外部機器としては、例えばＤＶＤ（Digital Versatile Disk）プレーヤやセットトップボックス（ＳＴＢ）等があり、このような外部機器とテレビジョン信号受信機とをＨＤＭＩコネクタを介して接続するようにしている。
【０００５】
またＨＤＭＩ規格の伝送信号には、アスペクト情報等の表示関連情報も含まれており、その関連情報を抽出して利用することにより、表示モード、例えばテレビジョン信号受信機にて表示される画像のアスペクトを、抽出したアスペクト情報に従って自動的に設定することができる。しかしながら、自動的に設定された表示モードが、必ずしもユーザの希望するモードと一致するとは限らず、ＨＤＭＩ規格に準拠した映像・音声信号を再生する上で、さらに改善の余地があった。
【０００６】
特許文献１には、ＤＶＩ規格に準拠したシステムで、シンクデバイス側からソースデバイス側を制御するようにした構成が開示されているが、ＨＤＭＩ規格に準拠したデジタル伝送システムにおいて、受信側における表示モードをユーザの好みに応じて対処することについては、何らの記載もなされていない。
【特許文献１】特開２００２−３１４９７０号公報
【発明の開示】
【発明が解決しようとする課題】
【０００７】
上記したようなＨＤＭＩ規格により伝送された信号を受信し、画像を表示する場合、伝送された信号から抽出した表示関連情報を基に自動的に表示モードを設定することができるが、必ずしもユーザの希望に一致した表示モードになるとは限らず、ＨＤＭＩ規格に準拠した映像・音声信号を再生する上で、さらなる改善の余地があった。
【０００８】
本発明は上記した点に鑑み、自動的に表示モードを設定可能としつつ、ユーザの好みも重視した画像再生を可能とした画像表示装置及び画像表示方法を提供することを目的とする。
【課題を解決するための手段】
【０００９】
本発明はこのような問題点を解決するためになされた画像表示装置であって、ＨＤＭＩ規格に準拠したデジタル伝送バスが接続されるＨＤＭＩコネクタと；前記ＨＤＭＩコネクタを介して受信されたデジタル信号から映像信号をデコード処理して、第１の映像信号を復元するとともに、前記受信されたデジタル信号に表示関連情報が含まれている場合にそれを抽出して出力するＨＤＭＩ信号処理部と；放送信号を受信処理した映像信号を含む第２の映像信と、前記第１の信号が入力され、いずれか１つの映像信号を選択出力するセレクタと；前記セレクタによって選択出力された映像信号による画像を表示するためのディスプレイと；前記セレクタが前記第１の映像信号を選択し、前記表示関連情報が抽出されたときに、前記表示関連情報に応答して前記ディスプレイへの表示モードを自動設定するとともに、前記自動設定による表示モードにおいてユーザによる表示モードの設定指示があった場合、前記セレクタによる選択状態に変更がない限り、前記表示関連情報による応答を停止し、ユーザによる設定指示にしたがって前記ディスプレイへの表示モードを設定する制御部とを具備したことを特徴とする。
【００１０】
また、本発明は上記したような問題点を解決するためになされた画像表示方法であって、ＨＤＭＩ規格に準拠したデジタル伝送バスを介して受信されたデジタル信号から映像信号をデコード処理して、第１の映像信号を復元するとともに、前記受信されたデジタル信号に表示関連情報が含まれている場合にそれを抽出する工程と；放送信号を受信処理した映像信号を含む第２の映像信と、前記第１の信号が入力され、いずれか１つの映像信号を選択出力する工程と；前記第１の映像信号が選択出力されたときには、前記抽出された表示関連情報に応答してディスプレイでの画像表示モードを自動設定する工程と；前記自動設定による画像表示モードにおいてユーザによる表示モードの設定指示があった場合は、前記映像信号の選択状態に変更がない限り、前記表示関連情報による応答を停止し、ユーザによる設定指示にしたがって前記ディスプレイへの表示モードを設定する工程とを含むことを特徴とする。
【発明の効果】
【００１１】
本発明によれば、ＨＤＭＩコネクタを介して受信されたデジタル信号から抽出したアスペクト情報等の表示関連情報に応答して、自動的に表示画像のアスペクトを設定するとともに、ユーザが任意の表示モードに設定した場合には、伝送された表示関連情報に応答することなくユーザの指定した表示モードを優先することができ、ユーザの嗜好にあった画像表示装置及び画像表示方法を実現することができる。
【発明を実施するための最良の形態】
【００１２】
以下、図面を参照しながら本発明のについて詳細に説明する。
【実施例１】
【００１３】
図１は、本発明の実施の形態における画像表示装置１１を示している。この画像表示装置１１は、テレビジョン放送信号を受信する機能と、アナログ映像及び音声信号を受信する機能と、ＨＤＭＩ規格に準拠したデジタル映像信号を受信する機能とを有している。
【００１４】
すなわち、テレビジョン放送信号は、アンテナ１２で受信され、入力端子１３を介してテレビジョン信号処理部１４に供給される。このテレビジョン信号処理部１４は、入力されたテレビジョン放送信号からチューナ部１４ａにより所定のチャンネルの信号を取り出し、信号処理部１４ｂによりアナログの映像信号と音声信号とを復元して、セレクタ１５に出力している。
【００１５】
また、アナログ映像及び音声信号は、ＡＶ（Audio Video）入力端子１６で受信され、そのまま、セレクタ１５に入力される。さらに、外部機器１７からＨＤＭＩ規格に準拠したデジタル伝送バス１８を介して供給されるデジタル映像信号は、ＨＤＭＩコネクタ１９で受信され、ＨＤＭＩ信号処理部２０に供給される。このＨＤＭＩ信号処理部２０は、詳細は後述するが、入力されたＨＤＭＩ規格に準拠したデジタル信号から、アナログの映像信号と音声信号とを復元して、セレクタ１５に出力している。
【００１６】
そして、セレクタ１５は、テレビジョン信号処理部１４から出力されるアナログの映像及び音声信号と、ＡＶ入力端子１６に供給されたアナログの映像及び音声信号と、ＨＤＭＩ信号処理部２０から出力されるアナログの映像及び音声信号とを、選択的に切り替えて出力し、映像信号を映像処理回路２１に供給し、音声信号を音声処理回路２２に供給する。そして映像処理回路２１からの映像信号は、ディスプレイ３０に供給され、音声処理回路２２からの音声信号はスピーカ４０に供給され、映像及び音声が再生される。
【００１７】
ここで、この画像表示装置１１は、上記した各種の受信動作を含む大部分の動作が制御部２３によって制御されている。この制御部２３は、ＣＰＵ（Central Processing Unit）等を内蔵したマイクロロプロセッサでなり、操作部２４からの操作情報を受け、或いは、リモートコントローラ２５から送出された操作情報を受信部２６を介して受信し、その操作内容が反映されるように各部をそれぞれ制御する。
【００１８】
この場合、制御部２３は、メモリ部２７を利用している。すなわち、このメモリ部２７は、主として、制御部２３のＣＰＵが実行する制御プログラムを格納した読み出し専用メモリと、該ＣＰＵに作業エリアを提供する読み出し書き込みメモリと、各種の設定情報及び制御情報等が格納される不揮発性メモリとを含んでいる。
【００１９】
次に、図２を参照して、ＨＤＭＩ信号処理部２０の概略構成について説明する。図２に示すように、ＨＤＭＩ信号処理部２０は、ＨＤＭＩ受信回路２０１、Ｅ
ＤＩＤメモリ２０２、ＨＤＣＰメモリ２０３、映像信号出力回路２０４、音声信
号出力回路２０５、及びサブ制御部２０６を備えている。尚、ＨＤＭＩコネクタ１９とＨＤＭＩ受信回路２０１間は、映像、音声信号を伝送するための高速デジタル伝送路、及び制御情報を伝達するための通信制御バスで接続されている。
【００２０】
ＥＤＩＤメモリ２０２は、例えばディスプレイ３０に関する制御情報を記憶する。ＥＤＩＤは、Extended Display Identification Dataの略で、ディスプレイ側（画像表示装置１１）からホスト側（外部機器１７）に対し、ディスプレイ側の情報（解像度、画素数等）を認識させるためのデータである。またＨＤＣＰメモリ２０３は、ＨＤＭＩコネクタ１９介して入力されるデジタル入力信号のコピープロテクトを制御するためのキーデータを記憶する。尚、ＨＤＣＰは、High Band Digital Content Protectionの略である。
【００２１】
ＨＤＭＩ受信回路２０１には、ＨＤＭＩコネクタ１９を介してデジタル入力信号が供給される。ＨＤＭＩ受信回路２０１は、例えばＤ／Ａ変換器を搭載し、ＨＤＭＩコネクタ１９を介して入力されるデジタル入力信号に含まれるデジタル映像信号をアナログ映像信号に変換し、映像信号出力回路２０４に供給する。なお、必ずしもＨＤＭＩ受信回路２０１がＤ／Ａ変換器を搭載している必要はない。
【００２２】
ＨＤＭＩ受信回路２０１がＤ／Ａ変換器を搭載していない場合には、ＨＤＭＩ受信回路２０１はデジタル映像信号を映像信号出力回路２０４に供給する。この場合、映像信号出力回路２０４が、Ｄ／Ａ変換器を搭載しており、デジタル映像信号をアナログ映像信号に変換してセレクタ１５に出力する。また、ＨＤＭＩ受信回路２０１は、ＨＤＭＩコネクタ１９を介して入力されるデジタル信号に含まれるデジタル音声信号を音声信号出力回路２０５に供給する。音声信号出力回路２０５は、Ｄ／Ａ変換器を搭載しており、デジタル音声信号をアナログ音声信号に変換してセレクタ１５に出力する。
【００２３】
又、サブ制御部２０６は、ＨＤＭＩコネクタ１９からの信号入力状態を検出する。つまり、サブ制御部２０６は、ＨＤＭＩコネクタ１９から信号入力が有るか否かを検出したり、表示関連情報の抽出等を行う。サブ制御部２０６は、メインの制御部２３と交信し、信号入力状態の検出結果及びメインの制御部２３からの信号選択指示に基づき、セレクタ１５を制御しＨＤＭＩコネクタ１９から供給される入力信号を選択する。
【００２４】
次に図３を参照して、ＨＤＭＩ規格に準拠したデジタル信号が伝送バス１８を介してＨＤＭＩコネクタ１９で受信されたときの画像の表示例を説明する。尚、ディスプレイ３０は１６：９のワイドスクリーンを有する場合を例にしている。
【００２５】
図３（ａ）は、ＨＤＭＩ規格に準拠したデジタル信号にアスペクト情報が含まれており、そのアスペクト情報が４：３の画像であることを示す例を説明したものである。即ち、伝送されたデジタル信号に含まれるアスペクト情報が、図３（ａ）のように４：３を示した場合、ＨＤＭＩ信号処理部２０のＨＤＭＩ受信回路２０１は、そのアスペクト情報を抽出してサブ制御部２０６に供給する。
【００２６】
サブ制御部２０６は、メインの制御部２３に対してアスペクト情報を送り、制御部２３は、映像処理回路２１を制御して図３（ａ１）のようにディスプレイ３０に４：３の画像を表示するように制御する。つまり、スクリーンの左右に無画部を有し、中央部に４：３の画像を表示する。
【００２７】
また、図３（ｂ）のように、アスペクト情報が４：３のレターボックス（１６：９の画像の上下部に無画部を有し全体として４：３）の画像であることを示した場合、サブ制御部２０６からメインの制御部２３に対してそのアスペクト情報を送り、制御部２３は、映像処理回路２１を制御して図３（ｂ１）のように、ディスプレイ３０に４：３のレターボックス画面を表示する。この場合、スクリーンの左右にも無画部を生じる。
【００２８】
しかしながら、上述したように自動的に表示モードが設定可能であっても、必ずしも、ユーザが希望した表示モードとは一致しないことがあるため、ユーザにとっては不満の残る表示画像となる場合もある。
【００２９】
そこで、本実施の形態では、ユーザが表示モードを指定した場合には、ユーザの指定したモードで画像を表示し、それ以降ＨＤＭＩ規格に準拠したデジタル信号にアスペクト情報が含まれていても、それには応答せずに無視して、ユーザ指定の表示モードを優先して表示するようにしている。
【００３０】
例えば、アスペクト情報が図３（ａ）のように４：３を示す場合であっても、ユーザがフルモードを指定した場合には、図３（ａ２）で示すように１６：９のスクリーンに４：３の画像を横方向に伸ばしてスクリーン全面に画像を表示し、左右の無画部をなくしてスクリーン全体に画像を表示することができる。又、アスペクト情報が図３（ｂ）のように４：３のレターボックスの映像であることを示す場合であっても、ユーザがズームモードを指定した場合には、図３（ｂ２）で示すように上下の無画部を省略して１６：９の画像をスクリーン全体に表示することができる。
【００３１】
したがって、ユーザが指定した場合は、伝送側からのデジタル信号にアスペクト情報が含まれていても、それに応答して自動的に表示モードが変わることはなく、ユーザの希望したモードで画像を表示できる。
【００３２】
一方、入力ソースを切り替えた場合、例えばＨＤＭＩからのデジタル入力に代えてチューナ部１４ａで受信した映像を処理して表示するように切り替えた場合には、ユーザの指定がない状態に切替わる。これにより、再びＨＤＭＩからのデジタル入力が選択された場合には、抽出したアスペクト情報に基いて自動的に表示モードが設定されることになる。
【００３３】
図４は、上記した画像表示装置１１の全体的な動作をまとめたフローチャートを示している。まず、開始ステップＳ１において、いずれかの入力ソースが選択されると、ステップＳ２でＨＤＭＩからのデジタル入力が選択されたか否かが判別される。ＨＤＭＩからのデジタル入力が選択された場合、ステップＳ３でアスペクト情報が抽出され、ステップＳ４で、アスペクト情報に基いて表示モードが自動設定される。
【００３４】
また、自動設定されたモードで表示されているときに、ユーザがリモートコントローラ２５等で他の表示モードを指定した場合は、ステップＳ５でそれが判別され、ステップＳ６においてユーザの指示に従った表示モードで画像を表示するように切り替える。尚、ステップＳ２において、ＨＤＭＩからのデジタル入力が選択されない場合は、ステップＳ７で予め設定したモードで画像を表示し、さらにユーザの指示による表示モードの変更指示がないかどうかをステップＳ５で確認する。
【００３５】
このように、本発明の実施形態では自動設定の利便性とユーザの好みを両立させた表示を可能にすることができる。
【図面の簡単な説明】
【００３６】
【図１】本発明に係る画像表示装置の実施の形態を示すブロック図。
【図２】本発明の画像表示装置にて用いるＨＤＭＩ信号処理部の構成を示すブロック図。
【図３】本発明における各種の画像表示モードを説明するための説明図。
【図４】本発明の画像表示動作を説明するためのフローチャート。
【符号の説明】
【００３７】
１１  画像表示装置
１４  テレビジョン信号処理部
１５  セレクタ
１７  外部機器
１９  ＨＤＭＩコネクタ
２０  ＨＤＭＩ信号処理部
２３  制御部
２０１  ＨＤＭＩ受信回路
２０６  サブ制御部
【図１】
2006108750.tif 000003
【図２】
2006108750.tif 000004
【図３】
2006108750.tif 000005
【図４】
2006108750.tif 000006